(57)【特許請求の範囲】
【請求項１】
内部にフィルタを具備しフランジを具備するフィルタユニットと、流入管路と流出管路とを備え、前記フィルタユニットが取り外し可能に挿嵌されるベース部であって、そのベース部に前記フィルタユニットが挿嵌された際に、前記流入管路からの液体が前記フィルタユニット内に導入され前記フィルタを通過して前記流出管路から排出される流路を形成するベース部とを備え、前記フィルタユニットを前記ベース部に固定する濾過装置の固定装置であって、
前記固定装置は、前記ベース部に対して固定され、内面が前記フィルタユニットの外面と対向するベースアダプタであって、前記内面に前記フィルタユニットの外面に沿って延在する溝が配置されているベースアダプタと、タブを有し前記フィルタユニットが挿入可能な貫通穴を有するリングアダプタと、を備え、
前記フィルタユニットが前記リングアダプタに挿嵌され、前記タブと前記溝との一方が他方に対して相対的に移動して前記溝内に位置することにより、前記リングアダプタが前記フィルタユニットの前記フランジを前記ベース部に対して押し付けて前記フィルタユニットを前記ベース部に固定する固定装置。
【請求項２】
請求項１に記載の固定装置であって、
前記溝は前記タブと対向する第一の面を備え、前記タブが、前記第一の面と当接することにより、前記リングアダプタが前記フィルタユニットを前記ベース部に対して押し付けて前記フィルタユニットを前記ベース部に対して強固に固定する固定装置。
【請求項３】
請求項２に記載の固定装置であって、
前記溝は、さらに、前記リングアダプタが挿入される方向において、前記第一の面と前記タブとの間の距離よりも大きい距離の隙間を前記タブとの間に有する第二の面を備え、
前記タブが前記第二の面と対向している際には、前記リングアダプタは前記ベース部に対して強固に固定されないが、前記リングアダプタは、はずれない固定装置。
【請求項４】
請求項３に記載の固定装置であって、
前記第一の面は、前記タブの面に対して傾斜している固定装置。
【請求項５】
請求項３または４に記載の固定装置であって、
前記第一の面と前記第二の面とは、前記ベース部に固定されるベースアダプタに、ずらした位置に階段状に配置されている固定装置。
【請求項６】
請求項５に記載の固定装置であって、
前記ベースアダプタは、前記ベース部に締結部材によって固定されている固定装置。
【請求項７】
請求項５に記載の固定装置であって、
前記ベースアダプタは、前記ベース部に取り外し可能に前記ベース部の周部に固定されている固定装置。
【請求項８】
請求項１から７のいずれか一項に記載の固定装置であって、
前記溝は前記ベース部に対して移動せず、前記タブが前記溝に対して移動可能である固定装置。
【請求項９】
請求項１から８のいずれか一項に記載の固定装置であって、
前記濾過装置は、一端に開口を有し、前記フィルタユニットを覆うように内部が中空であって、前記一端に鍔部を有するホルダを備え、
前記リングアダプタの前記貫通穴は、前記ホルダが前記フィルタユニットを覆うように装着されたのちに、前記ホルダが前記貫通穴内に挿入可能な大きさであって、
前記リングアダプタの端部が前記ホルダの鍔部を押さえることにより、前記ホルダが前記フィルタユニットの前記フランジで前記ベース部に対する前記押し付けを行う固定装置。
【請求項１０】
内部にフィルタを具備しフランジを具備するフィルタユニットと、
流入管路と流出管路とを備え、前記フィルタユニットが取り外し可能に挿嵌されるベース部であって、そのベース部に前記フィルタユニットが挿嵌された際に、前記流入管路からの液体が前記フィルタユニット内に導入され前記フィルタを通過して前記流出管路から排出される流路を形成するベース部と、
前記ベース部に対して固定され、内面が前記フィルタユニットの外面と対向するベースアダプタであって、前記内面に前記フィルタユニットの外面に沿って延在する溝が配置されているベースアダプタと、
タブを有し、前記フィルタユニットが挿入可能な貫通穴を有するリングアダプタと、を備える濾過装置であって、
前記フィルタユニットが前記リングアダプタに挿嵌され、前記タブと前記溝との一方が他方に対して相対的に移動して前記溝内に位置することにより、前記リングアダプタが前記フィルタユニットの前記フランジを前記ベース部に対して押し付けて前記フィルタユニットが前記ベース部に固定される濾過装置。
【請求項１１】
請求項１０に記載の濾過装置であって、
前記溝は前記タブと対向する第一の面を備え、前記タブが、前記第一の面と当接することにより、前記リングアダプタが前記フィルタユニットを前記ベース部に対して押し付けて前記フィルタユニットを前記ベース部に対して強固に固定する濾過装置。
【請求項１２】
請求項１１に記載の濾過装置であって、
前記溝は、さらに、前記リングアダプタが挿入される方向において、前記第一の面と前記タブとの間の距離よりも大きい距離の隙間を前記タブとの間に有する第二の面を備え、
前記タブが前記第二の面と対向している際には、前記リングアダプタは前記ベース部に対して強固に固定されないが、前記リングアダプタははずれない濾過装置。
【請求項１３】
請求項１２に記載の濾過装置であって、
前記第一の面は、前記タブの面に対して傾斜している濾過装置。
【請求項１４】
請求項１２または１３に記載の濾過装置であって、
前記第一の面と前記第二の面とは、前記ベース部に固定されるベースアダプタに、ずらした位置に階段状に配置されている濾過装置。
【請求項１５】
請求項１４に記載の濾過装置であって、
前記ベースアダプタは、前記ベース部に締結部材によって固定されている濾過装置。
【請求項１６】
請求項１４に記載の濾過装置であって、
前記ベースアダプタは、前記ベース部に取り外し可能に前記ベース部の周部に固定されている濾過装置。
【請求項１７】
請求項１０から１６のいずれか一項に記載の濾過装置であって、
前記溝は前記ベース部に対して移動せず、前記タブが前記溝に対して移動可能である濾過装置。
【請求項１８】
請求項１０から１７のいずれか一項に記載の濾過装置あって、
前記濾過装置は、一端に開口を有し、前記フィルタユニットを覆うように内部が中空であって、前記一端に鍔部を有するホルダを備え、
前記リングアダプタの前記貫通穴は、前記ホルダが前記フィルタユニットを覆うように装着されたのちに、前記ホルダが前記貫通穴内に挿入可能な大きさであって、
前記リングアダプタの端部が、前記ホルダの鍔部を押さえ、前記ホルダが前記フィルタユニットの前記フランジを前記ベース部に対して固定する濾過装置。
【請求項１９】
内部にフィルタを具備しフランジを具備するフィルタユニットと、
流入管路と流出管路とを備え、前記フィルタユニットが取り外し可能に挿嵌されるベース部であって、そのベース部に前記フィルタユニットが挿嵌された際に、前記流入管路からの液体が前記フィルタユニット内に導入され前記フィルタを通過して前記流出管路から排出される流路を形成するベース部とを備え、前記フィルタユニットを前記ベース部に固定する濾過装置の固定装置であって、前記固定装置は、
一端側に開口を具備し、内部に中空部を有するホルダであって、前記開口から前記フィルタユニットにかぶせて前記中空部に前記フィルタユニットが位置するように取り付け可能なホルダと、
前記ベース部に対して固定され、内面が前記ホルダの外面と対向するベースアダプタであって、前記内面に前記ホルダの外面に沿って延在する溝が配置されているベースアダプタとを備え、
前記ホルダはタブを有し、
前記ホルダが前記フィルタユニットにかぶせられ、前記タブと前記溝との一方が他方に対して相対的に移動して前記溝内に位置することにより、前記ホルダが前記フィルタユニットを前記ベース部に対して押し付けて前記フィルタユニットが前記ベース部に固定される固定装置。
【請求項２０】
請求項１９に記載の固定装置であって、
前記溝は前記タブと対向する第一の面を備え、前記タブが、前記第一の面と当接することにより、前記ホルダが前記フィルタユニットを前記ベース部に対して押し付けて前記フィルタユニットを前記ベース部に対して強固に固定する固定装置。
【請求項２１】
請求項２０に記載の固定装置であって、
前記溝は、さらに、前記ホルダが挿入される方向において、前記第一の面と前記タブとの間の距離よりも大きい距離の隙間を前記タブとの間に有する第二の面を備え、
前記タブが前記第二の面と対向している際には、前記ホルダは前記ベース部に対して強固に固定されないが、前記ホルダははずれない固定装置。
【請求項２２】
請求項２１に記載の固定装置であって、
前記第一の面は、前記タブの面に対して傾斜している固定装置。
【請求項２３】
請求項２１または２２に記載の固定装置であって、
前記第一の面と前記第二の面とは、前記ベース部に固定されるベースアダプタに、ずらした位置に階段状に配置されている固定装置。
【請求項２４】
請求項２３に記載の固定装置であって、
前記ベースアダプタは、前記ベース部に締結部材によって固定されている固定装置。
【請求項２５】
請求項２３に記載の固定装置であって、
前記ベースアダプタは、前記ベース部に取り外し可能に前記ベース部の周部に固定されている固定装置。
【請求項２６】
請求項１９から２５のいずれか一項に記載の固定装置であって、
前記溝は前記ベース部に対して移動せず、前記タブが前記溝に対して移動可能である固定装置。
【請求項２７】
内部にフィルタを具備しフランジを具備するフィルタユニットと、
流入管路と流出管路とを備え、前記フィルタユニットが取り外し可能に挿嵌されるベース部であって、そのベース部に前記フィルタユニットが挿嵌された際に、前記流入管路からの液体が前記フィルタユニット内に導入され前記フィルタを通過して前記流出管路から排出される流路を形成するベース部と、
一端側に開口を具備し、内部に中空部を有するホルダであって、前記開口から前記フィルタユニットにかぶせて前記中空部に前記フィルタユニットが位置するように取り付け可能なホルダと、
前記ベース部に対して固定され、内面が前記ホルダの外面と対向するベースアダプタであって、前記内面に前記ホルダの外面に沿って延在する溝が配置されているベースアダプタとを備え、
前記ホルダはタブを有し、
前記ホルダが前記フィルタユニットにかぶせられ、前記タブと前記溝との一方が他方に対して相対的に移動して前記溝内に位置することにより、前記ホルダが前記フィルタユニットを前記ベース部に対して押し付けて前記フィルタユニットが前記ベース部に固定される濾過装置。
【請求項２８】
請求項２７に記載の濾過装置であって、
前記溝は前記タブと対向する第一の面を備え、前記タブが、前記第一の面と当接することにより、前記ホルダが前記フィルタユニットを前記ベース部に対して押し付けて前記フィルタユニットを前記ベース部に対して強固に固定する濾過装置。
【請求項２９】
請求項２８に記載の濾過装置であって、
前記溝は、さらに、前記ホルダが挿入される方向において、前記第一の面と前記タブとの間の距離よりも大きい距離の隙間を前記タブとの間に有する第二の面を備え、
前記タブが前記第二の面と対向している際には、前記ホルダは前記ベース部に対して強固に固定されないが、前記ホルダははずれない濾過装置。
【請求項３０】
請求項２９に記載の濾過装置であって、
前記第一の面は、前記タブの面に対して傾斜している濾過装置。
【請求項３１】
請求項２９または３０に記載の濾過装置であって、
前記第一の面と前記第二の面とは、前記ベース部に固定されるベースアダプタに、ずらした位置に階段状に配置されている濾過装置。
【請求項３２】
請求項３１に記載の濾過装置であって、
前記ベースアダプタは、前記ベース部に締結部材によって固定されている濾過装置。
【請求項３３】
請求項３１に記載の濾過装置であって、
前記ベースアダプタは、前記ベース部に取り外し可能に前記ベース部の周部に固定されている濾過装置。
【請求項３４】
請求項２７から３３のいずれか一項に記載の濾過装置であって、
前記溝は前記ベース部に対して移動せず、前記タブが前記溝に対して移動可能である濾過装置。
【発明の詳細な説明】
【技術分野】
【０００１】
この発明は、たとえば濾過フィルタ固定装置およびそれを用いた濾過装置に関する。
【背景技術】
【０００２】
従来、図１２に示すように、流入管路２１と流出管路２２とを備えるベース部２３に、内部にフィルタを具備したカプセルフィルタ５１を、脱着可能に取り付けるタイプの濾過装置が利用されている。カプセルフィルタ５１は樹脂製の使い捨てタイプである。図１３は、図１２の矢視Ａから見た図を示す。ベース部２３は、流入管路２１につながる流入口２３ａと、流出管路２２につながる流出口２３ｂとを有している。カプセルフィルタ５１は、２つの接合口５２，５３を有していて、一方をカプセルフィルタ５１への流入口（流れの上流）とし、他方をカプセルフィルタ５１からの流出口（流れの下流）とできる。図１３に示す例の場合には、接合口５２を流入口２３ａに、接合口を流出口２３ｂに嵌合している。接合口５２，５３のそれぞれの外周には、シール材５２ａ，５３ａが配置されていて、接合口５２と流入口２３ａとの間と、接合口５３と流出口２３ｂとの間を、密着させている。【０００３】
この濾過装置では、カプセルフィルタ５１が取り付けられた状態で、流入管路２１からの液体がカプセルフィルタ５１の内部に導入される流入流れ（IF）、カプセルフィルタ５１を通過して流出管路２２から排出される排出流れ（OF）が形成される。このような濾過機において、管路の配置により、流入流れ（IF）と排出流れ（OF）の方向を、自由に設定が可能である。たとえば、図１２と図１３に示すように、ベース部２３の下部に流入管路２１と流出管路２２とが、一直線をなすように、配置することができる。そこで、流入管路２１の流れの向きを９０度変えてカプセルフィルタ５１内に向けて流れるようにする。流出管路２２を同様に設定する。この状態では、カプセルフィルタ５１をベース部２３に取り付ける方向と同じ方向に、流入流れ（IF）と排出流れ（OF）との方向を設定されることになる。この場合には、流入流れ（IF）は、カプセルフィルタ５１をベース部２３から押し出す力をカプセルフィルタ５１に与えることとなる。【０００４】
そのため、カプセルフィルタ５１がベース部２３に取り付けられている際には、安全上、カプセルフィルタ５１をベース部２３に対して強固に固定する必要がある。このような固定は、たとえば、リング状のアダプタ３１によって、カプセルフィルタ５１のフランジ５４と、ベース部２３のフランジ２４との両者を挟持する形で、ベース部２３に固定する方法が使用されることがある。たとえば、アダプタ３１は、リング形状の半分からなるアダプタ右部材３１ａとアダプタ左部材３１ｂの部材の一端にヒンジが配置され、そのヒンジを中心に開閉が可能となっている。アダプタ３１を開いた状態で、ホルダ４１の鍔と、ベース部２３のフランジ２４との両者を挟み、他端にあるねじ３２によって、アダプタ３１をリング形状に組み合わせて、カプセルフィルタ５１のフランジ５４とベース部２３のフランジ２４との両者を挟持する。
【発明の概要】
【発明が解決しようとする課題】
【０００５】
このような濾過装置では、カプセルフィルタ５１がベース部２３に取り付けられた際に、カプセルフィルタ５１側の接合口５２，５３と、ベース部２３側の流入口２３ａ，流出口２３ｂとの間には、シール材５２ａ，５３ａが配置された状態になるため、比較的強固に結合される。しかし、濾過装置の性質上、カプセルフィルタ５１内にガスが溜ることがあり、カプセルフィルタ５１はベース部２３から外れる方向に力を受ける傾向にある。また、流入流れ（IF）の流れ方向もカプセルフィルタ５１が外れる方向になっているため、カプセルフィルタ５１は外れる方向の荷重を受けやすい。このとき、カプセルフィルタ５１は比較的強固に結合されているため、外れるときの反発力が大きい。そのため、アダプタ３１を外した途端に、当然、カプセルフィルタ５１がベース部２３から飛び出すことがあり、使用に際して危険である。このとき、アダプタ３１のようにカプセルフランジ５１の外周を挟むよりも、カプセルフィルタ５１のフランジをカプセルフィルタ５１の取り付け方向から均一に押圧するような形態でカプセルフィルタ５１を固定することができるとよい。
【課題を解決するための手段】
【０００６】
内部にフィルタを具備しフランジを具備するカプセルフィルタと、流入管路と流出管路とを備え、前記カプセルフィルタが取り外し可能に挿嵌されるベース部であって、そのベース部に前記カプセルフィルタが挿嵌された際に、前記流入管路からの液体が前記カプセルフィルタ内に導入され前記フィルタを通過して前記流出管路から排出される流路を形成するベース部とを備え、前記カプセルフィルタを前記ベース部に固定する濾過装置の固定装置であって、前記ベース部に対して固定され、内面が前記カプセルフィルタの外面と対向するベースアダプタであって、前記内面に前記カプセルフィルタの外面に沿って延在する溝が配置されているベースアダプタと、タブを有し、前記カプセルフィルタが挿入可能な貫通穴を有するリングアダプタと、前記リングアダプタが前記ホルダに挿嵌され、前記タブが前記溝に対して相対的に移動して前記溝内に位置することにより、前記カプセルフィルタの前記フランジ部が前記ベース部に対して固定される固定装置およびそれを用いた濾過装置により解決する。【０００７】
また、内部にフィルタを具備しフランジを具備するカプセルフィルタと、流入管路と流出管路とを備え、前記カプセルフィルタが取り外し可能に挿嵌されるベース部であって、そのベース部に前記カプセルフィルタが挿嵌された際に、前記流入管路からの液体が前記カプセルフィルタ内に導入され前記フィルタを通過して前記流出管路から排出される流路を形成するベース部とを備え、前記カプセルフィルタを前記ベース部に固定する濾過装置の固定装置であって、一端側に鍔を有する開口を具備し、内部が中空なホルダであって、前記開口から前記カプセルフィルタにかぶせて前記中空部に前記カプセルフィルタが位置するように取り付け可能なホルダと、前記ベース部に対して固定され、内面が前記ホルダの外面と対向するベースアダプタであって、前記内面に前記ホルダの外面に沿って延在する溝が配置されているベースアダプタとを備え、前記ホルダはタブを有し、前記ホルダが前記カプセルフィルタにかぶせられ、前記タブが前記溝に対して相対的に移動して前記溝内に位置することにより、前記ホルダが前記ベース部に対して固定される固定装置およびそれを用いた濾過装置により解決する。
【発明の効果】
【０００８】
カプセルフィルタ５１のフランジをカプセルフィルタ５１の取り付け方向から均一に押圧するような形態で固定することにより、より安全な固定を提供することができる。
【図面の簡単な説明】
【０００９】
【図１】第一の実施の形態における固定装置を取り付けた濾過装置を示している。
【図２】第一の実施の形態におけるタブと第一の面との位置関係を説明した断面図である。
【図３】第二の実施の形態における固定装置を取り付けた濾過装置を示している。
【図４】第二の実施の形態におけるタブと第一の面との位置関係を説明した断面図である。
【図５Ａ】第一および第二実施の形態における第一の面とタブとの関係を示している。
【図５Ｂ】第三の実施の形態において傾斜させて設定した第一の面を示している。
【図６】第四の実施の形態における固定装置を取り付けた濾過装置を示している。
【図７】第四の実施の形態におけるタブと第一の面との位置関係を説明した断面図である。
【図８】第五の実施の形態における固定装置を取り付けた濾過装置であって、タブが第一の面と対向した状態を示している。
【図９】第五の実施の形態における固定装置を取り付けた濾過装置であって、タブが第二の面と対向した状態を示している。
【図１０】第五の実施の形態におけるタブと第一の面との位置関係を説明した断面図である。
【図１１Ａ】第五の実施の形態における第一の面および第二の面とタブとの関係を示している。
【図１１Ｂ】第五の実施の形態において傾斜させて設定した第一の面を示している。
【図１２】従来の濾過装置であって、カプセルフィルタが取り付けられた状態を示している。
【図１３】従来の濾過装置のカプセルフィルタが取り付けられている状態の詳細を示している。
【図１４】従来の濾過装置におけるカプセルフィルタの固定装置を示している。
【発明を実施するための形態】
【００１０】
（第一の実施の形態）
以下、図１を参照して、本発明の第一の実施の形態における固定装置１とそれを用いた濾過装置について説明する。図１は、固定装置１を取り付けた濾過装置を示している。図２は、図１の断面Ｂ−Ｂを示している。濾過装置は、流入管路２１と流出管路２２とを備えるベース部２３と、内部にフィルタを具備するカプセルフィルタ５とからなる。カプセルフィルタ５は一般に、樹脂製である。ベース部２３は、カプセルフィルタ５が取り外し可能に挿嵌されるようになっている。カプセルフィルタ５と、ベース部２３の構造は、図１２および図１３に示したように、従来の構造とほぼ同様である。ベース部２３にカプセルフィルタ５が挿嵌されると、流入管路２１から濾過するべき液体がカプセルフィルタ５内に導入され、カプセルフィルタ５を通過して流出管路２２から排出されるような流路を形成する。固定装置１は、リングアダプタ６とベースアダプタ１０とからなる。リングアダプタ６は、代表的には、金属製であって、カプセルフィルタ５が挿入可能な貫通穴を有している。リングアダプタ６をカプセルフィルタ５にかぶせると、その貫通穴内にカプセルフィルタ５が位置し、リングアダプタ６の端面がカプセルフィルタ５のフランジ５ａの部分に当接するようになっている。以下、ここでは、代表的に、カプセルフィルタ５は円柱形状であって、リングアダプタ６の貫通穴はカプセルフィルタ５が挿入可能な形状として説明する。
【００１１】
リングアダプタ６をカプセルフィルタ５にかぶせると、その貫通穴内にカプセルフィルタ５が位置する。リングアダプタ６の端面がカプセルフィルタ５の端面に当接するようにかぶせると、リングアダプタ６の端面が、カプセルフィルタ５のフランジ５ａに当接するようになっている。ベース部２３にはフランジ２４が配置されていて、ベースアダプタ１０は、ベース部２３のフランジ２４を外側から挟持するように、ベース部２３に取り付けられる。たとえば、ベースアダプタ１０は、ねじなどの締結部材によってベース部２３に直接固定するように取り付けることができる。または、図１には示していないが、ベースアダプタ１０は、図１２に示した従来のアダプタ３１のように、アダプタ３１を開閉できる部材のような形で、脱着可能な形態でベース部２３に固定することもできる。ベースアダプタ１０は、ベース部２３に対して何らかの形で固定されればよい。このようにベースアダプタ１０がベース部２３に取り付けられた状態において、ベースアダプタ１０とベース部２３との間に、隙間ができるように配置する。この隙間に、リングアダプタ６が進入するようにする。リングアダプタ６がこの隙間に挿入された際に、リングアダプタ６の外面とベースアダプタ１０の内面とが対向する。リングアダプタ６の外面とベースアダプタ１０の内面とが対向する位置の近傍に、ほぼ、カプセルフィルタ５とベース部２３の接合面が位置するように設定する。ベースアダプタ１０の内面に対向するリングアダプタ６の外面には、その外面から外側に突出するようなタブ６ａが配置されている。一方、タブ６ａが配置される近傍のベースアダプタ１０の内面には、リングアダプタ６の外面に沿って延在する溝２が配置される。リングアダプタ６は、図１の矢印で示すような順序で装着する。すなわち、カプセルフィルタ５がリングアダプタ６の貫通穴に挿入されるような状態で、カプセルフィルタ５の中心軸に沿って装着する。リングアダプタ６の端面がカプセルフィルタ５のフランジ面５ａに当接した段階で、リングアダプタ６のタブ６ａがベースアダプタ１０の溝２の中に入るように、リングアダプタ６を回転する。溝２には、タブ６ａと対向する第一の面２ａを具備しているので、この段階でタブ６が第一の面２ａによりカプセルフィルタ５の中心軸方向への移動を制限され、リングアダプタ６に押さえつけられているカプセルフィルタ５をベース部２３に固定することができる。ここでは、リングアダプタ６とカプセルフィルタ５のフランジ５ａを直接押さえるように当接する形態で説明をおこなったが、リングアダプタ６が直接カプセルフィルタ５のフランジ５ａと当接しなくてもよい。別の部材を準備し、リングアダプタ６はその別の部材を介して、カプセルフィルタ５のフランジ５ａをベース部２３に対して押さえつけてもよい。すなわち、リングアダプタ６が何らかの形でカプセルフィルタ５のフランジ５ａをベース部２３に対して押さえつけられれば、効果を奏する。また、図１では、ベースアダプタ１０は、カプセルフィルタ５の外周に沿って、その外周の一部のみに配置をしている。しかし、ベースアダプタ１０はカプセルフィルタ５の外周の全部に配置させてもよい。なお、ベースアダプタ１０はカプセルフィルタ５の外周の全部に配置させる例は、第二の実施の形態において説明する。
【００１２】
図２では、第一の面２ａとタブ６ａは当接しているが、当接していなくてもリングアダプタ６が、リングアダプタ６の挿入方向に移動が制限されていれば、固定の効果が生じる。しかし、固定をさらに強固にするには、図２に示すように、第一の面２ａとタブ６ａが当接するように設定する。すなわち、タブ６ａの面と第一の面２ａとを、以下のような位置関係に設定する。第一の面２ａと、第一の面２ａと対向するタブ６ａの面は、リングアダプタ６，カプセルフィルタ５の中心軸方向における基準位置からの距離がほぼ同じとなるように設定する。基準位置は、リングアダプタ６，カプセルフィルタ５の中心軸方向であって、第一の面２が向いている方向（図２の場合には下向き）であれば、任意に設定できる。たとえば、図２の場合、ベース部２３のフランジ２４とカプセルフィルタ５のフランジ５ａとの接合面を基準位置とする。この場合、第一の面２ａは、ベース部２３とカプセルアダプタ５との接合面（基準位置）からＨ１の距離に位置するように設定する。一方、リングアダプタ６のタブ６ａの位置をその基準位置からほぼ同じ距離（Ｈ１）に位置するように設定する。このとき、公差範囲内において、第一の面２ａと対向する側のタブ６ａの面と第一の面２ａとの間に隙間が生じる場合には、タブ６ａとベースアダプタ１０との固定の具合は緩くなる。反対に、第一の面２ａと対向する側のタブ６ａの面と第一の面２ａとの間の隙間が小さくなれば、それに伴って、リングアダプタ６とベースアダプタ１０との固定の具合がきつくなる。第一の面２と対向する側のタブ６ａの面と第一の面２ａとの間に隙間が無い場合には、リングアダプタ６の端面をカプセルフィルタ５に押し付けながらタブ６ａを第一の面２ａに対して摺動させることになり、ベースアダプタ１０に対するリングアダプタ６の固定はきつくなる。一般に、カプセルフィルタ５は樹脂製であり、ベース部２３にシール材を介してとりつけられていることから、シール材の弾力により、ある程度の反発力を生じる。したがって、タブ６ａの面と第一の面２ａとがほぼ同じ位置になるように設定すれば、タブ６ａの面と第一の面２ａとが、当接しやすくなる。ベース部２３に対するカプセルフィルタ５の反発力に応じて、位置を設定することが好ましい。これにより、カプセルフィルタ５を簡易な形で、ベース部２３に固定することが可能となる。
【００１３】
（第二の実施の形態）
第一の実施の形態では、カプセルフィルタ５が貫通するようなリングアダプタ６を用いる形態で固定をおこなった。しかし、リングアダプタ６を、カプセルフィルタ５を覆うような保安ケースとしてのホルダ４とする形態にもできる。ホルダ４にタブ４ａを配置すればよい。以下、この形態につき、図３，図４を参照して第二の実施の形態として説明する。図４は、第一の実施の形態に対応する第二の実施の形態の濾過機を示している。第二の実施の形態では、リングアダプタ６の代わりにホルダ４を配置する以外は、第一の実施の形態と同様である。したがって、ここでは、第一の実施の形態と異なる部分について説明する。ホルダ４は、一端に開口を有するが他端は閉じており、内部が中空であって、カプセルフィルタ５を覆い隠すことができる形状をしている。ホルダ４は、代表的には、中空の円筒形状である。ホルダ４をカプセルフィルタ５にかぶせると、その中空である部位にカプセルフィルタ５が位置するようになる。カプセルフィルタ５がホルダ４の中空部に挿入されるようにホルダ４を装着すると、ホルダ４の端面がカプセルフィルタ５のフランジ５ａを押さえつけるように当接するようになっている。第一の実施の形態のベースアダプタ１０は、カプセルフィルタ５の外周に沿って、その外周の一部のみに配置をさせている。しかし、ベースアダプタ１０はカプセルフィルタ５の外周の全部に配置させてもよく、ここではカプセルフィルタ５の外周の全部に配置させたベースアダプタ１１を説明する。ただし、第二の実施の形態においても、カプセルフィルタ５の外周に沿って、その外周の一部のみに配置をさせるベースアダプタ１０を採用することもできる。ベースアダプタ１１の取り付け方法は、ベース部２３を外側から覆うようにベース部２３に取り付けられる。たとえば、ベースアダプタ１０は、ねじなどの締結部材によってベース部２３に直接固定するように取り付けることができる。または、図には示していないが、ベースアダプタ１１は、従来の例と同様に、２つの部材を組み合わせるような方法をとることもできる。ベース部２３に対して固定できる限り、ベースアダプタ１１の固定方法は制限されない。このようにベースアダプタ１１がベース部２３に取り付けられた状態において、ベースアダプタ１１とベース部２３との間には、第一の実施の形態同様の隙間を有する。図４は、図３の断面Ｃ−Ｃの位置を示している。図４に示すように、第一の実施の形態と同様に、この隙間にホルダ４が挿入されて、ホルダ４の外面とベースアダプタ１０の内面とが対向する。ホルダ４の外面とベースアダプタ１０の内面とが対向する位置に、カプセルフィルタ５とベース部２３の接合面が位置することになる。ホルダ４のタブ４ａは、第一の実施の形態におけるリングアダプタ６のタブ６ａと全く同様であって、ベースアダプタ１０の内面に対向するホルダ４の外面に、その外面から、外側に突出するようなタブ４ａとして配置される。ホルダ４のタブ４ａは、第一の実施の形態のリングアダプタ６のタブ６ａと同様に機能する。ベースアダプタ１１は、第一の実施の形態と同様に、カプセルフィルタ５がベース部２３に装着された際に、カプセルフィルタの外周方向に沿った溝２を有している。図３の矢印で示すように、まずカプセルフィルタ５がホルダ４の中空部に位置するようにホルダ４内に挿入されるように、ベースアダプタ１０のタブ開口部１１ａに沿って、ホルダ４の開口端部がカプセルフィルタ５のフランジ５ａと当接するまで挿嵌する。続いて、カプセルフィルタ５の外周方向にホルダ４を回転させると、タブ４ａが溝２に沿って移動して図４の状態となる。また、第一の実施の形態と同様に、溝２は、ホルダ４，カプセルフィルタ５の中心軸に沿って、ホルダ４とカプセルフィルタ５が装着される方向へのホルダ４の移動を制限する第一の面２ａを具備している。これにより、ホルダ４の中心軸に沿ってのベースアダプタ１０に対するホルダ４の移動が制限されて、カプセルフィルタ５が固定される。また、代表的には、ホルダ４の端面は、カプセルフィルタ５のフランジ５ａ部分に接触するように配置され、ホルダ４によりカプセルフィルタ５が固定される。ただし、第一の実施の形態と同様に、ホルダ４とカプセルフィルタ５との間に別の部材を介してホルダ４をベース部２３に対して固定しても良い。ホルダ４により、カプセルフィルタ５がベース部２３に対して固定される限り、同じ効果を奏する。第一の面２ａと、タブ４ａとの位置の設定は、第一の実施の形態と同様に、ホルダ４のタブ４ａと当接可能な位置に配置することが好ましい。
【００１４】
（第三の実施の形態）
第一の実施の形態および第二の実施の形態では、第一の面２ａは、タブ４ａまたはタブ６ａの回転方向とほぼ平行に設定した。しかし、第三の実施の形態は、この第一の面２ａを傾斜にする実施の形態である。以下、図５Ａと図５Ｂとを参照して、第二の実施の形態を例として、第三の実施の形態について説明する。第三の実施の形態は、第一の実施の形態と第二の実施の形態とほぼ同じ構成である。以下、異なる部分のみを説明する。図５Ａと図５Ｂにおいて、それぞれ、上側の図は、ベースアダプタ１１をホルダ４の取り付け方向から見た図（図３の上側から見た図）から見た図を示している。ここで、図５Ａの下側の図は、図５Ａの断面Ｄ―Ｄの部分を示している。図５Ｂも同様に、図５Ｂの下側の図は、図５ＢのＥ−Ｅ断面を示している。図５Ａは第二の実施の形態における第一の面２ａとタブ４ａとの関係を示している。このように第二の実施の形態では、第一の面２ａは、タブ４ａの面とほぼ平行になっている。図５Ｂに示すように、第三の実施の形態では、タブ４ａの移動方向に沿って、タブ４ａと第一の面２ａとの距離が小さくなるように、第一の面２ａに傾斜を持たせている。これにより、ホルダ４を回転させることにより、タブ４ａと第一の面２との間の摩擦力が増加し、ホルダ４を、ベースアダプタ１０にさらに強固に固定することができる。第一の実施の形態でも、同様に、第一の面２ａに傾斜を持たせることができる。また、図５Ａに示すように溝２は第一の面２ａとそれに対向する面を具備する溝であるが、図５Ｂのように、溝２は、第一の面２ａのみを有する溝の形態でもよい。
【００１５】
（第四の実施の形態）
第二の実施の形態では、リングアダプタ６の代わりにホルダ４を使用した。しかし、ホルダ４とリングアダプタ６の両方を採用することも可能である。第二の実施の形態では、タブ４ａはホルダ４に取り付けていたが、ホルダ４を使用する前提でリングアダプタ６に取り付けることもできる。図６から図７を参照して、第四の実施の形態として、ホルダ４とリングアダプタ６との両者を使用した濾過機を説明する。図６は、第一の実施の形態に対応する第四の実施の形態の濾過機を示している。第四の実施の形態では、ホルダ４とリングアダプタ６の両者を配置する以外は、第一の実施の形態と第二の実施の形態と同様である。ここでは、第一の実施の形態と異なる部分について説明する。ベースアダプタ１０の溝２，第一の面２ａおよびタブ６ａは、第一の実施の形態と全く同様である。ホルダ４は開口端部に鍔部４ｂを有している。ホルダ４をカプセルフィルタ５にかぶせると、その中空である部位にカプセルフィルタ５が位置する。リングアダプタ６の貫通穴部分にホルダ４が挿入されると、リングアダプタ６の端面がホルダ４の鍔４ｂの部分にまず当接するようになっている。ホルダ４の端面は、カプセルフィルタ５のフランジ５ａ部分に接触するように配置される。したがって、リングアダプタ６のタブ６ａが、ベースアダプタ１０の溝２内に挿入されると、これにより、リングアダプタ６の端面がホルダ４の鍔部４ｂを押し付け、それによりホルダ４がカプセルフィルタ５を押さえて、第一の実施の形態や第二の実施の形態と同様にカプセルフィルタが固定される。
【００１６】
（第五の実施の形態）
以下、図８から図１１Ａおよび図１１Ｂまでを参照して、第五の実施の形態について説明する。第五の実施の形態では、第一の実施の形態から第四の実施の形態のすべての構成に対して、適用可能である。図８および図９は、第五の実施の形態の固定装置１および濾過機を示した図である。図８に示すように、第五の実施の形態では、第一の面２ａに加えて、さらに第二の面３を具備するように構成したものである。図８はタブ４ａが第一の面２ａに対向する位置にある状態を示し、図９はタブ４ａが第二の面３に対向する位置にある状態を示している。図１０は、図８の断面Ｇ−Ｇを示している。第三の面３を具備する点を除いては、これまで説明してきた固定装置１およびそれを具備する濾過機の構成自体には差異はない。したがって、以下、第二の実施の形態における固定装置を例として、第五の実施の形態について説明する。第二の面３は、ホルダ４の中心軸方向（ホルダ４が挿入される方向）において、第一の面２ａの位置よりも、カプセルフィルタ５が脱着される方向側に配置される。すなわち、第二の面３は、ホルダ４をベース部２３に対して強固に固定する第一の面２ａよりもホルダ４の脱着側に近いので、タブ６ａと第二の面３とが対向して当接可能な状態では、ホルダはベース部２３に対して強固に固定されない。しかし、タブ６ａは第二の面３に制限され、ホルダ４は、ホルダ４の中心軸方向には、外れないような状態となる。すなわち、図９に示すように、第二の面３は、図４に示した基準位置からの距離が第一の面２ａの際に設定された距離（Ｈ１）よりも大きい距離（Ｈ２）となるように設定する。第一の実施の形態から第三の実施の形態で説明したとおり、第一の面２ａはタブ４ａとほぼ当接可能な位置関係にあるので、タブ６ａがこの状態にあるときは、必ずタブ６ａと第二の面３との間に隙間が生じる。したがって、この隙間の分だけリングアダプタ６が移動可能となる。しかし、タブ６ａは、依然として、第二の面３に移動が制限されるので、リングアダプタ６は完全に取り外れない。そのため、タブ６ａが第二の面３と対向する位置にあって当接可能な状態にあるときは、ホルダ４はベース部２３に対して強固に固定されないが、ホルダ４は完全には外れずに、この隙間の分だけホルダ４が可動な状態となる。したがって、この隙間の分だけカプセルフィルタ５を外すことも可能となる。もしも、カプセルフィルタ５の内部に溜まったガスによって、カプセルフィルタ５がベース部２３から抜けたとしても、ホルダ４が第二の面３によって移動を制限されるのでカプセルフィルタ５が飛び出すことを防ぐ、安全な固定装置を提供することができる。また、この隙間分の移動は、カプセルフィルタ５の内部のガスなどをリークするためにカプセルフィルタ５を暫定的に外すためのプロセスとして利用することができる。
【００１７】
また、図１１Ａに示すように、第一の面２ａと第二の面３とは、ホルダ４の円筒形状の長手方向の中心軸に沿った方向に、中心軸から角度αと角度βとを違えるように、階段状にずらして配置させることが好ましい。図１１Ａと図１１Ｂは、それぞれ、図５Ａと同様に、上側の図は、ベースアダプタ１１をホルダ４の取り付け方向から見た図（図８と図９の上側から見た図）から見た図を示している。図１１Ａと図１１Ｂの下側の図は、それぞれ図１１Ａの上側の図の断面Ｈ−Ｈと、図１１Ｂの上側の図の断面Ｉ−Ｉとを示しており、ベースアダプタ１１の、またはホルダ４の中心角に応じた第一の面２ａと第二の面３の位置関係を示している。図１１Ａは、ホルダ４がカプセルフィルタ５にかぶせられた際に、ベース部２３に対して強固に固定されている状態を示している。ここに示すように、タブ４ａが角度αの位置にあるときは、第一の面２とタブ６ａの位置関係は、タブ４ａが第一の面２と対向して当接可能な状態にあって、ホルダ４がベース部２３に対して押し付けられて、ホルダ４とカプセルフィルタ５とがベース部２３に対して強固に固定されているような位置関係になる。そして、タブ４ａが角度βの位置にあるときは、タブ４ａが第二の面３と対向して当接可能となり、ホルダ４とカプセルフィルタ５はベース部２３に対して強固に固定されないが、両者とも完全には外れない状態となる。また、図１０Ｂに示すように、第三の実施の形態の場合と同様に、第一の面２にタブ６ａの面に対して傾斜するように設定しておくこともできる。この場合、ホルダ４をその中心軸周りに回転させると、タブ４ａも回転する。第一の面２ａの傾斜をホルダ４の回転方向に対して、タブ４ａの面と第一の面２ａとの距離が小さくなるような傾斜としておけば、ホルダ４の回転によって、ベース部２３に対するホルダ４の固定されている度合いを徐々に強めることができる。これにより、第一の面２ａと第二の面３は、ホルダ４の中心軸まわりに、たとえば角α，β，γとなるように階段状に、ずらして配置する。これにより、タブ４ａの回転動作により、タブ４ａが角αの位置にあるときは、第一の面２と当接して、ホルダ４を強固にベース部２３に押し付ける状態となる。タブ４ａが角βの位置にあるときは、タブ４ａが第二の面３と当接可能な状態にあって、ホルダ４は強固にベース部２３に押し付けられることはないが、ホルダ４の中心軸に沿った移動が制限されて、ホルダ４が完全には外れない状態を作ることができる。
【００１８】
さらに、第一の実施の形態から第五の実施の形態のいずれにおいても、タブ４ａまたはタブ６ａを滑らかに移動させるため、第一の面２ａまたは第二の面３は、それぞれ、その表面を樹脂材とすることもできる。また、第一の実施の形態から第五の実施の形態においては、タブ４ａまたはタブ６ａと第一の面２ａは、それぞれ１個のタブおよびそれに対応する１個の第一の面２として説明をした。しかし、タブ４ａまたはタブ６ａと第一の面２ａの個数は１個に限られず、複数であってもよい。たとえば、第一の実施の形態においては、ホルダ４の円周方向に、１８０度の間隔で２個のタブ４ａを、または１２０度の間隔で３個のタブ４ａを、９０度の間隔で４個のタブ４ａを配置してもよい。第一の面２は、これに対応させて、ベースアダプタ１０に、それぞれ、２個、３個、４個を配置することができる。第二の実施の形態から第五の実施の形態においても、同様である。
【００１９】
（第六の実施の形態）
第一の実施の形態から第五の実施の形態では、ベースアダプタ１０，１１の第一の溝２をベースアダプタに対して固定して、リングアダプタ６のタブ６ａを、またはホルダ４のタブ４ａをカプセルフィルタの中心軸周りに回転させる形態で説明をおこなった。しかし、すべての実施の形態において、リングアダプタ６のタブ６ａを、またはホルダ４のタブ４ａをカプセルフィルタの中心軸周りには回転させずに、ベースアダプタ１０，１１の溝２をカプセルフィルタの中心軸周りにベースアダプタに対して回転させてもよい。たとえば、ベースアダプタ１０または１１において、溝２がある部分を別の部材として、ベアリングなどにより、その部分がベース部２３に対してカプセルフィルタの中心軸周りに回転可能な構成にすることができる。または、溝２のうち、第一の面２ａのみを回転させるような方法もとることができる。すなわち、ベースアダプタ１０，１１の溝２と、リングアダプタ６のタブ６ａまたはホルダ４のタブ４ａとの、いずれか一方に対して、相対的に回転させる。これにより、タブ４ａが溝２に対して相対的に移動して、溝２内に位置することにより、カプセルフィルタ５のフランジ５ａがベース部２３に対して固定されて、同様の効果を奏することができる。したがって、第一の実施の形態から第五の実施の形態には、リングアダプタ６のタブ６ａを、またはホルダ４のタブ４ａをカプセルフィルタの中心軸周りには回転させずに、ベースアダプタ１０，１１の第一の溝２をカプセルフィルタの中心軸周りにベースアダプタに対して回転させる場合も含む。また、この実施の形態の場合には、カプセルフィルタ５にタブ５ａを配置して溝２を移動させることにより、ホルダ４もリングアダプタ６をも利用せずに固定することもできる。この場合には、ベースアダプタ１０とその他の構成は同じであって、図１に示す第一の実施の形態のうち、リングアダプタの代わりにカプセルフィルタ５にタブ５ａを配置させる。カプセルフィルタ５は、カプセルフィルタ５１側の接合口５２，５３があるため回転できないが、溝２が回転できるので、タブ５ａがカプセルフィルタ５の中心軸に沿った移動は制限され同じ効果を奏する。
【００２０】
第一の実施の形態から第六の実施の形態において、タブ４ａまたはタブ６ａが溝２の中で意図せずに回転することを禁止するため、タブ４ａまたはタブ６ａに貫通穴を準備しておく。そのうえで、ベースアダプタ１０または１１にロックピンまたはプランジャなどを取り付けておく。タブ４ａまたはタブ６ａが溝２の中で所定の箇所に位置した際にロックピンまたはプランジャなどが稼働して、タブ４ａまたはタブ６ａに貫通穴に挿入されるようにすれば、タブ４ａまたはタブ６ａが溝２の中の所定の箇所に固定をし、意図しない回転を禁じることができる。
【符号の説明】
【００２１】
１  固定装置
２  第一の面
３  第二の面
４  ホルダ
４ａ  タブ
５  カプセルフィルタ
６  リングアダプタ
６ａ  タブ
１０，１１  ベースアダプタ
２３  ベース部材
【図１】
0006487445.tif 000002
【図２】
0006487445.tif 000003
【図３】
0006487445.tif 000004
【図４】
0006487445.tif 000005
【図５Ａ】
0006487445.tif 000006
【図５Ｂ】
0006487445.tif 000007
【図６】
0006487445.tif 000008
【図７】
0006487445.tif 000009
【図８】
0006487445.tif 000010
【図９】
0006487445.tif 000011
【図１０】
0006487445.tif 000012
【図１１Ａ】
0006487445.tif 000013
【図１１Ｂ】
0006487445.tif 000014
【図１２】
0006487445.tif 000015
【図１３】
0006487445.tif 000016
【図１４】
0006487445.tif 000017